【手続補正書】
【提出日】平成18年7月31日(2006.7.31)
【手続補正１】
【補正対象書類名】特許請求の範囲
【補正対象項目名】全文
【補正方法】変更
【補正の内容】
【特許請求の範囲】
【請求項１】
（ａ）共役ポリマー主鎖と、（ｂ）複数の第１タイプの官能基と、（ｃ）複数の第１タイプの不活性スペーサ基とを含むポリマー金属錯体組成物であって、
前記複数の第１タイプの官能基の各々が、前記複数の第１タイプの不活性スペーサ基の少なくとも１つに共有結合され、この第１タイプの不活性スペーサ基が、前記ポリマー主鎖に共有結合され、
前記複数の第１タイプの官能基の各々の少なくとも一部が、少なくとも１つの金属に配位結合されることを特徴とするポリマー金属錯体組成物。
【請求項２】
（ｄ）複数の第２タイプの官能基をさらに含み、前記複数の第２タイプの官能基の少なくとも１つが、複数の第２タイプの不活性スペーサ基の少なくとも１つに共有結合され、この第２タイプの不活性スペーサ基が、前記ポリマー主鎖に共有結合されることを特徴とする請求項１に記載の組成物。
【請求項３】
第１タイプの不活性スペーサ基の数と第１タイプの官能基の数との比が、１：１であることを特徴とする請求項１に記載の組成物。
【請求項４】
前記共役ポリマー主鎖が、フルオレンジイル、フェニレン、フェニレンビニレン、オキサジアゾールジイル、チオフェンジイル、およびアリールアミンジイルから選択される少なくとも１つの繰返しモノマー単位を有することを特徴とする請求項１に記載の組成物。
【請求項５】
前記共役ポリマー主鎖が、ビニルカルバゾールジイルおよびトリアリールメタンジイルから選択される繰返しモノマー単位を含む非共役セグメントを有することを特徴とする請求項１に記載の組成物。
【請求項６】
前記複数の第１タイプの官能基の少なくとも１つが、β−ジカルボニル、ホスフィノアルカノール、アミノカルボン酸、イミノカルボン酸、サリチル酸、およびヒドロキシキノリンから選択されることを特徴とする請求項１に記載の組成物。
【請求項７】
前記金属の少なくとも１つが、イリジウム、白金、レニウム、およびルテニウムから選択されることを特徴とする請求項１に記載の組成物。
【請求項８】
前記金属の少なくとも１つが、２−アリールピリジン、２−アリールピリミジン、および２−アリールキノリン、２−チエニルピリジン、２−チエニルキノリン、２−チエニルジアジン、２−ピロリルピリジン、２−ピロリルキノリン、および２−ピロリルジアジンから選択される少なくとも１つの配位子にさらに配位結合されることを特徴とする請求項７に記載の組成物。
【請求項９】
（ａ）共役ポリマー主鎖と、（ｂ）複数の第１タイプの官能基と、（ｃ）複数の第１タイプの不活性スペーサ基とを含む少なくとも１つのポリマー金属錯体組成物を含むルミネセンス材料であって、
前記複数の第１タイプの官能基の各々が、前記複数の第１タイプの不活性スペーサ基の少なくとも１つに共有結合され、この第１タイプの不活性スペーサ基が、前記ポリマー主鎖に共有結合され、
前記複数の第１タイプの官能基の各々の少なくとも一部が、少なくとも１つの金属に配位結合されることを特徴とするルミネセンス材料。
【請求項１０】
（ａ）共役ポリマー主鎖と、（ｂ）複数の第１タイプの官能基と、（ｃ）複数の第１タイプの不活性スペーサ基とを含む少なくとも１つのポリマー金属錯体組成物を含む有機電子デバイスであって、
前記複数の第１タイプの官能基の各々が、前記複数の第１タイプの不活性スペーサ基の少なくとも１つに共有結合され、この第１タイプの不活性スペーサ基が、前記ポリマー主鎖に共有結合され、
前記複数の第１タイプの官能基の各々の少なくとも一部が、少なくとも１つの金属に配位結合されることを特徴とする有機電子デバイス。
【手続補正２】
【補正対象書類名】明細書
【補正対象項目名】０１２０
【補正方法】変更
【補正の内容】
【０１２０】
上記アセチルアセトネート含有ポリマー（０．１５０ｇ）および実施例７からの［ＩｒＯＨ｛１−（４−ｔｅｒｔ−ブチル−フェニル）−イソキノリン｝２］２（０．０１０ｇ、０．００７ｍｍｏｌ）を、窒素下で、１００ｍＬの丸底フラスコに入れた。乾燥ＴＨＦ（４５ｍＬ）を加え、混合物を２４時間還流させた。結果として生じる濃赤色溶液をＴＨＦ（１００ｍＬ）で希釈し、シリカによって濾過した。溶媒の蒸発により、赤色固体（０．１３５ｇ）をもたらした。分析計算値：Ｃ，８４．９８；Ｈ，９．３６；Ｎ，２．６４；Ｉｒ，１．６５。実測値：Ｃ，８２．８１；Ｈ，８．９９；Ｎ，２．５９；Ｉｒ，１．８８。
以下に、本発明の好ましい態様を示す。
［１］  （ａ）共役ポリマー主鎖と、（ｂ）複数の第１タイプの官能基と、（ｃ）複数の第１タイプの不活性スペーサ基とを含むポリマー金属錯体組成物であって、
前記複数の第１タイプの官能基の各々が、前記複数の第１タイプの不活性スペーサ基の少なくとも１つに共有結合され、この第１タイプの不活性スペーサ基が、前記ポリマー主鎖に共有結合され、
前記複数の第１タイプの官能基の各々の少なくとも一部が、少なくとも１つの金属に配位結合されることを特徴とするポリマー金属錯体組成物。
［２］  （ｄ）複数の第２タイプの官能基をさらに含むことを特徴とする［１］に記載の組成物。
［３］  前記複数の第２タイプの官能基の少なくとも１つが、複数の第２タイプの不活性スペーサ基の少なくとも１つに共有結合され、この第２タイプの不活性スペーサ基が、前記ポリマー主鎖に共有結合されることを特徴とする［２］に記載の組成物。
［４］  前記複数の第１タイプの不活性スペーサ基の少なくとも１つが、前記複数の第２タイプの不活性スペーサ基の少なくとも１つと同じ組成であることを特徴とする［３］に記載の組成物。
［５］  前記複数の第１タイプの官能基の少なくとも１つが、前記第２タイプの官能基の少なくとも１つにも共有結合される不活性スペーサ基に共有結合されることを特徴とする［４］に記載の組成物。
［６］  第１タイプの不活性スペーサ基の数と第１タイプの官能基の数との比が、１：１であることを特徴とする［１］に記載の組成物。
［７］  第２タイプの不活性スペーサ基の数と第２タイプの官能基の数との比が、１：１であることを特徴とする［３］に記載の組成物。
［８］  前記共役ポリマー主鎖が、フルオレンジイル、フェニレン、フェニレンビニレン、オキサジアゾールジイル、チオフェンジイル、およびアリールアミンジイルから選択される少なくとも１つの繰返しモノマー単位を有することを特徴とする［１］に記載の組成物。
［９］  前記共役ポリマー主鎖が、ビニルカルバゾールジイルおよびトリアリールメタンジイルから選択される繰返しモノマー単位を含む非共役セグメントを有することを特徴とする［１］に記載の組成物。
［１０］  前記複数の第１タイプの不活性スペーサ基の少なくとも１つが、炭素原子数１から１２個のアルキル鎖であることを特徴とする［１］に記載の組成物。
［１１］  前記複数の第２タイプの不活性スペーサ基の少なくとも１つが、炭素原子数１から１２個のアルキル鎖であることを特徴とする［３］に記載の組成物。
［１２］  前記複数の第１タイプの官能基の少なくとも１つが、β−ジカルボニル、ホスフィノアルカノール、アミノカルボン酸、イミノカルボン酸、サリチル酸、およびヒドロキシキノリンから選択されることを特徴とする［１］に記載の組成物。
［１３］  前記金属の少なくとも１つが、イリジウム、白金、レニウム、およびルテニウムから選択されることを特徴とする［１］に記載の組成物。
［１４］  前記金属の少なくとも１つが、２−アリールピリジン、２−アリールピリミジン、および２−アリールキノリン、２−チエニルピリジン、２−チエニルキノリン、２−チエニルジアジン、２−ピロリルピリジン、２−ピロリルキノリン、および２−ピロリルジアジンから選択される少なくとも１つの配位子にさらに配位結合されることを特徴とする［１３］に記載の組成物。
［１５］  （ａ）共役ポリマー主鎖と、（ｂ）複数の第１タイプの官能基と、（ｃ）複数の第１タイプの不活性スペーサ基とを含む少なくとも１つのポリマー金属錯体組成物を含むルミネセンス材料であって、
前記複数の第１タイプの官能基の各々が、前記複数の第１タイプの不活性スペーサ基の少なくとも１つに共有結合され、この第１タイプの不活性スペーサ基が、前記ポリマー主鎖に共有結合され、
前記複数の第１タイプの官能基の各々の少なくとも一部が、少なくとも１つの金属に配位結合されることを特徴とするルミネセンス材料。
［１６］  前記少なくとも１つのポリマー金属錯体組成物が、（ｄ）複数の第２タイプの官能基をさらに含むことを特徴とする［１５］に記載のルミネセンス材料。
［１７］  前記複数の第２タイプの官能基の少なくとも１つが、複数の第２タイプの不活性スペーサ基の少なくとも１つに共有結合され、この第２タイプの不活性スペーサ基が、前記ポリマー主鎖に共有結合されることを特徴とする［１６］に記載のルミネセンス材料。
［１８］  前記複数の第１タイプの不活性スペーサ基の少なくとも１つが、前記複数の第２タイプの不活性スペーサ基の少なくとも１つと同じ組成であることを特徴とする［１７］に記載のルミネセンス材料。
［１９］  前記第１タイプの官能基の少なくとも１つが、前記第２タイプの官能基の少なくとも１つにも共有結合される不活性スペーサ基に共有結合されることを特徴とする［１７］に記載のルミネセンス材料。
［２０］  複数の第１タイプの不活性スペーサ基の数と前記複数の第１タイプの官能基の数との比が、１：１であることを特徴とする［１５］に記載のルミネセンス材料。
［２１］  複数の第２タイプの不活性スペーサ基の数と複数の第２タイプの官能基の数との比が、１：１であることを特徴とする［１７］に記載のルミネセンス材料。
［２２］  前記共役ポリマー主鎖が、フルオレンジイル、フェニレン、フェニレンビニレン、オキサジアゾールジイル、およびチオフェンジイルから選択される少なくとも１つの繰返しモノマー単位を有することを特徴とする［１５］に記載のルミネセンス材料。
［２３］  前記複数の第１タイプの不活性スペーサ基の少なくとも１つが、炭素原子数１から１２個のアルキル鎖であることを特徴とする［１５］に記載のルミネセンス材料。
［２４］  前記複数の第２タイプの不活性スペーサ基の少なくとも１つが、炭素原子数１から１２個のアルキル鎖であることを特徴とする［１７］に記載のルミネセンス材料。
［２５］  前記第１タイプの官能基の少なくとも１つが、β−ジカルボニル、ホスフィノアルカノール、アミノカルボン酸、イミノカルボン酸、サリチル酸、およびヒドロキシキノリンから選択されることを特徴とする［１５］に記載のルミネセンス材料。
［２６］  前記金属の少なくとも１つが、イリジウム、白金、レニウム、およびルテニウムから選択されることを特徴とする［１５］に記載のルミネセンス材料。
［２７］  前記金属の少なくとも１つが、２−アリールピリジン、２−アリールピリミジン、および２−アリールキノリン、２−チエニルピリジン、２−チエニルキノリン、２−チエニルジアジン、２−ピロリルピリジン、２−ピロリルキノリン、および２−ピロリルジアジンから選択される少なくとも１つの配位子にさらに配位結合されることを特徴とする［２６］に記載のルミネセンス材料。
［２８］  前記共役ポリマー主鎖が、少なくとも１つのフルオレンジイル繰返しモノマー単位を有し、前記第１タイプの官能基がβ−ジカルボニルであり、前記金属がイリジウムであることを特徴とする［１５］に記載のルミネセンス材料。
［２９］  （ａ）共役ポリマー主鎖と、（ｂ）複数の第１タイプの官能基と、（ｃ）複数の第１タイプの不活性スペーサ基とを含む少なくとも１つのポリマー金属錯体組成物を含む有機電子デバイスであって、
前記複数の第１タイプの官能基の各々が、前記複数の第１タイプの不活性スペーサ基の少なくとも１つに共有結合され、この第１タイプの不活性スペーサ基が、前記ポリマー主鎖に共有結合され、
前記複数の第１タイプの官能基の各々の少なくとも一部が、少なくとも１つの金属に配位結合されることを特徴とする有機電子デバイス。
［３０］  前記少なくとも１つのポリマー金属錯体組成物が、（ｄ）複数の第２タイプの官能基をさらに含むことを特徴とする［２９］に記載のデバイス。
［３１］  前記複数の第２タイプの官能基の少なくとも１つが、複数の第２タイプの不活性スペーサ基の少なくとも１つに共有結合され、この第２タイプの不活性スペーサ基が、前記ポリマー主鎖に共有結合されることを特徴とする［３０］に記載のデバイス。
［３２］  前記複数の第１タイプの不活性スペーサ基の少なくとも１つが、前記複数の第２タイプの不活性スペーサ基の少なくとも１つと同じ組成であることを特徴とする［３１］に記載のデバイス。
［３３］  前記第１タイプの官能基の少なくとも１つが、前記第２タイプの官能基の少なくとも１つにも共有結合される不活性スペーサ基に共有結合されることを特徴とする［３２］に記載のデバイス。
［３４］  複数の第１タイプの不活性スペーサ基の数と複数の第１タイプの官能基の数との比が、１：１であることを特徴とする［２９］に記載のデバイス。
［３５］  複数の第２タイプの官能基の数と複数の第２タイプの不活性スペーサ基の数との比が、１：１であることを特徴とする［３１］に記載のデバイス。
［３６］  前記共役ポリマー主鎖が、フルオレンジイル、フェニレン、フェニレンビニレン、オキサジアゾールジイル、およびチオフェンジイルから選択される少なくとも１つの繰返しモノマー単位を有することを特徴とする［２９］に記載のデバイス。
［３７］  前記複数の第１タイプの不活性スペーサ基の少なくとも１つが、炭素原子数１から１２個のアルキル鎖であることを特徴とする［３０］に記載のデバイス。
［３８］  前記複数の第２タイプの不活性スペーサ基の少なくとも１つが、炭素原子数１から１２個のアルキル鎖であることを特徴とする［３１］に記載のデバイス。
［３９］  前記第１タイプの官能基の少なくとも１つが、β−ジカルボニル、ホスフィノアルカノール、アミノカルボン酸、イミノカルボン酸、サリチル酸、およびヒドロキシキノリンから選択されることを特徴とする［２９］に記載のデバイス。
［４０］  前記金属の少なくとも１つが、イリジウム、白金、レニウム、およびルテニウムから選択されることを特徴とする［２９］に記載のデバイス。
［４１］  前記金属の少なくとも１つが、２−アリールピリジン、２−アリールピリミジン、および２−アリールキノリン、２−チエニルピリジン、２−チエニルキノリン、２−チエニルジアジン、２−ピロリルピリジン、２−ピロリルキノリン、および２−ピロリルジアジンから選択される少なくとも１つの配位子にさらに配位結合されることを特徴とする［４０］に記載のデバイス。